(57)【要約】【課題】室外機の天板上部における作業スペースが狭い場合でも、送風機保持部材の上部固定ネジ及び天板固定ネジの取り付け・取り外しを容易にする空気調和機の室外機を得る。【解決手段】天板７は、室外機１前面側に傾斜し、かつ抜き穴７ｄを備えた第１の傾斜平面７ｃを有し、モータ取り付け台１１は、その上部に天板７の傾斜平面７ｃに対向し、かつ抜き穴７ｄと整合する位置にネジ穴１１ｄを備えた第２の傾斜平面１１ｃを有し、天板７の斜め上方から、ネジ１２を抜き穴７ｄを介してネジ穴１１ｄでネジ止めし、モータ取り付け台１１を天板７に着脱自在に固定する。【選択図】図３
2008190820.tif 000002
【特許請求の範囲】
【請求項１】
少なくとも天板を含む筐体と、
該筐体内に配置された送風機と、
該送風機を前記筐体に保持するための送風機保持部材とを
備えた分離型空気調和機の室外機において、
前記天板は、室外機前面側に傾斜し、かつ抜き穴を備えた第１の傾斜平面を有し、
前記送風機保持部材は、その上部に前記天板の傾斜平面に対向し、かつ前記抜き穴と整合する位置にネジ穴を備えた第２の傾斜平面を有し、
前記天板の斜め上方から、ネジを前記抜き穴を介して前記ネジ穴でネジ止めし、送風機保持部材を天板に着脱自在に固定することを特徴とする空気調和機の室外機。
【請求項２】
前記天板は、前記第１の傾斜平面を有する凸部又は凹部を備え、
前記送風機保持部材の上部には、前記天板の凸部又は凹部に係合する係合部を備え、
前記天板の凸部又は凹部と前記送風機保持部材の係合部とを係合させ、
前記抜き穴と前記ネジ穴の位置決めを行うことを特徴とする請求項１に記載の空気調和機の室外機。
【請求項３】
前記天板は、凹部を更に備え、
該凹部の中に前記凸部を形成したことを特徴とする請求項２に記載の空気調和機の室外機。
【請求項４】
前記第１の傾斜平面を、前記天板の前記室外機の後部側に設けたことを特徴とする請求項１〜請求項３のいずれかに記載の空気調和機の室外機。
【発明の詳細な説明】
【技術分野】
【０００１】
この発明は空気調和機の室外機に関し、特に送風機保持部材の固定に関するものである。
【背景技術】
【０００２】
従来の空気調和機の室外機における送風機保持部材の固定方法としては、例えば室外機の上面に吹き出し口があるものとして「ベースと、同ベース上に立設された少なくとも３本の複数の支柱と、同支柱の上端に支持された吹出口を有する天板と、前記ベース上に配設された熱交換器と、前記吹出口に対向して配設された支持部材を有する送風機と、前記熱交換器を除く側面を囲む側板とを備えた空気調和機の室外機において、前記送風機の支持部材の端部を前記支柱に取付けてなるようにする。そして、前記支柱の上端にボルトをネジ部を上にして取付け、同ボルトを前記送風機の支持部材の端部に形成した透孔に通してナットで締結してなるようにする。また、前記天板に形成した取付孔に前記ボルトを通し、前記送風機の支持部材の端部と共締めしてなるようにする」（例えば特許文献１参照）というものが提案されている。
【０００３】
また、例えば室外機の前面に吹き出し口があるものとして「天板６は平面部６ａとその周端部に形成される垂直取付部６ｂを有し、上記のように前面板４、側面ワイヤーガード５及び機械室側板で形成される上部開口を覆い、垂直取付部６ｂで前面板４及び機械室側板に固定されている。さらに、上部固定部１５ｃには、内側熱交換器１１ｂの上端部を挟むための係止部２０が設けられ、さらに、上部固定部１５ｃには、内側熱交換器１１ｂの上端部を挟むための係止部２０が設けられ、さらに、上部固定部１５ｃの一端側の背面側固定部１５ｄが天板６の背面側に固定され、他端側の前面側固定部１５ｅが前面板４の上部に固定されている。」（例えば特許文献２参照）というものが提案されている。
【０００４】
【特許文献１】特開平１０−１４８３６３号公報（段落番号０００５，０００６、図１）
【特許文献２】特開２００６−１７７６２０号公報（段落番号００２１、図３）
【発明の開示】
【発明が解決しようとする課題】
【０００５】
空気調和機の室外機内に設置されている熱交換器や送風機等の構成要素のメンテナンスサービスを行う場合、送風機保持部材の着脱を行うことがある。その際に、室外機の天板や前面板の着脱を行う必要がある。上記の特許文献１は送風機保持部材の固定を天板固定ネジにより兼ねる構造となっている。室外機の上面に吹き出し口がある製品においては、空気の吹き出しのために室外機上部には十分な空間が確保されているため、天板固定用のナット又はネジをナットドライバーやドライバー等で着脱する作業や、送風機保持部材を着脱する作業に支障はない。
【０００６】
しかしながら、上記特許文献２のように室外機の前面に吹き出し口がある製品では、天板が室外機の側面でネジ固定され、送風機保持部材の上部が天板の背面側及び前面板の上部に固定されている。送風機保持部材の上部を固定するのは、室外機内に大容量の送風機を配置した場合等の強度確保のためである。
室外機の前面に吹き出し口がある製品では、室外機を吊り架台にてベランダの上部に据え付ける場合等がある。この様な場合は室外機上部に十分な作業スペースを確保できないため、作業者が狭いスペースに手を入れ、目視できない室外機後面の天板固定ネジ及び送風機保持部材の上部固定ネジを取り付け・取り外しすることは困難であるという問題点があった。送風機保持部材を天板の室外機上面側にネジ固定した場合には、ドライバー等の工具を使用するスペースが無く、送風機保持部材の上部固定ネジの取り付け・取り外しが困難であるという問題点があった。また、送風機保持部材の上部を前面板に固定する構造では、送風機保持部材の形状を大きくするか、または新たな部品を追加する必要があるという問題点があった。
【０００７】
この発明は、上述のような課題を解決するためになされたものであり、室外機の上部における作業スペースが狭い場合でも、送風機保持部材の形状を大きくしたり、部品を追加することなく、送風機保持部材の上部固定ネジの取り付け・取り外しを容易にする空気調和機の室外機を得ることにある。
【課題を解決するための手段】
【０００８】
この発明に係る空気調和機の室外機には、少なくとも天板を含む筐体と、該筐体内に配置された送風機と、該送風機を前記筐体に保持するための送風機保持部材とを備えた分離型空気調和機の室外機において、前記天板は、室外機前面側に傾斜し、かつ抜き穴を備えた第１の傾斜平面を有し、前記送風機保持部材は、その上部に前記天板の傾斜平面に対向し、かつ前記抜き穴と整合する位置にネジ穴を備えた第２の傾斜平面を有し、前記天板の斜め上方から、ネジを前記抜き穴を介して前記ネジ穴でネジ止めし、送風機保持部材を天板に着脱自在に固定するものである。
【発明の効果】
【０００９】
この発明においては、室外機正面の斜め上方から、ネジを天板の抜き穴を介して送風機保持部材のネジ穴でネジ止めし、あるいはネジを取り外せるようにしたので、室外機上部の作業スペースが狭い場合でも、送風機保持部材の形状を大きくしたり、部品を追加することなく、送風機保持部材の上部固定ネジの取り付け・取り外しを容易に行うことができる。
【発明を実施するための最良の形態】
【００１０】
実施の形態１．
図１は、この発明の実施の形態１における室外機１の分解斜止図を示すものである。室外機１には、台板２が設けられている。この台板２の上面には、室外機１の片側側面から後面にかけてＬ字形状の例えばフィンチューブ型熱交換器３が設けられており、熱交換器３を除く側面及び後面にはＬ字形状に成形された側板４が設けられている。室外機１の前面部から熱交換器３側の側面にかけて、前面部に吹き出し口６を備えたＬ字形状の前面板５が設けられている。また、室外機１の上部には四方が下向きに折り曲げられた箱形状の天板７が設けられている。天板７の折り曲げ部分は、前面及び熱交換器３側の側面は前面板５に着脱自在にネジ固定され、他方側面は側板４に着脱自在にネジ固定されている。
【００１１】
室外機１の内部には、側板４側の下部に圧縮機８が設置されており、上部には制御部９が設けられている。熱交換器３側には軸流送風機１０が吹き出し口６と対向する位置に設置されている。送風機１０は、ファン１０ａ及びファン１０ａを回転駆動するファンモータ１０ｂから構成され、ファンモータ１０ｂは送風機保持部材であるモータ取り付け台１１の略中央部に固定されている。このモータ取り付け台１１は、ファンモータ１０ｂの固定位置の上下に風路確保のために開口部が設けられており、台板２の上面に着脱自在にネジ固定されている。また、モータ取り付け台１１の上部には下向きに開口するコの字形状に形成された係止部１１ａが設けられており、熱交換器３の上部に係止され、位置決めされている。
【００１２】
図２は、本実施形態１おける天板７及びモータ取り付け台１１の拡大斜視図である。また図３は、この天板７及びモータ取り付け台１１をネジ固定した状態の断面模式図である。天板７は例えば金属製であり、モータ取り付け台１１上部の位置と対向する範囲に凹状の絞り加工が施された天板凹部７ａが設けられており、この天板凹部は天板７の後端まで続いている。この天板凹部７ａの中には天板凸部７ｂが設けられている。この天板凸部７ｂは、上面が湾曲形状となっている。また、天板凸部７ｂの前面側にはこの発明の第１の傾斜平面に相当する傾斜平面７ｃが形成され、この傾斜平面７ｃは室外機１の前面に対して傾斜した平面（例えば１５°）となっている。傾斜平面７ｃの略中央部には、天板７をネジ固定するための抜き穴７ｄが設けられている。
【００１３】
モータ取り付け台１１は例えば金属製であり、係止部１１ａの上面には係合部１１ｂが設けられている。この係合部１１ｂは、天板凸部７ｂの内面と係合する形状となっている。つまり、この係合部１１ｂの上面は天板凸部７ｂの上面に対応した湾曲面を形成しており、この湾曲面の湾曲半径は、天板凸部７ｂの湾曲半径と同じであるか又はわずかに小さい。また、係合部１１ｂの湾曲部の手前側にはこの発明の第２の傾斜平面に相当する傾斜平面１１ｃが形成され、この傾斜平面１１ｃは室外機１の前面に対して傾斜平面７ｃと同角度（例えば１５°）に傾斜している。この傾斜平面１１ｃには抜き穴７ｄと整合する位置にネジ穴１１ｄが設けられている。
【００１４】
天板７の後部及びモータ取り付け台１１の上部は、天板凸部７ｂの抜き穴７ｄにネジ１２を貫通させて係合部１１ｂのネジ穴１１ｄでネジ止めすることにより着脱自在に固定される。このとき、ネジ１２の座面となる傾斜平面７ｃが室外機１の前面に対して傾斜（例えば１５°）しているために、ネジ１２を締める際にドライバー１３を天板７と平行に近い角度（例えば天板７とドライバー１３の角度が１５°）で使用することができる。
【００１５】
このように構成された空気調和機の室外機１においては、ネジ１２を締める際にドライバー１３を天板７と平行に近い角度（例えば天板７とドライバー１３の角度が１５°）で使用することができるため、通常は天板上部の作業スペースが狭い場合に取り付け・取り外しが困難である、天板７の室外機後方に位置するモータ取り付け台１１及び天板７を固定するためのネジ１２の取り付け・取り外しが室外機前面のみからの作業により容易にできる。
【００１６】
また、天板７及びモータ取り付け台１１を固定する際にモータ取り付け台１１の下部取り付け位置が多少ずれている場合でも、天板凸部７ｂとモータ取り付け台１１の係合部１１ｂが係合するため、係合部１１ｂは天板凸部７ｂに誘導され、天板７の取り付け時には調整することのできない抜き穴７ｄとネジ穴１１ｄの位置合わせが容易にできる。
【００１７】
さらに、天板凹部７ａにより、天板凸部７ｂは室外機１の外郭から突出することを防止でき、室外機１を小型化することができる。また、天板凹部が天板７の後端まで続いているため、ネジ１２周辺に雨水が長時間溜まることを防ぎ、ネジ１２の腐食を防止することができる。
【００１８】
なお、本実施形態１では金属製の天板７の天板凸部７ｂ及び天板凹部７ａを絞り加工により製作したが、これに限らず他の加工方法（例えば板金、ダイカスト又は射出成形等）でもよい。材質も金属に限らず樹脂等の他の材質で製作することもできる。モータ取り付け台１１も材質及び加工方法は問わない。
熱交換器３はフィンチューブ型熱交換器を使用したが、これに限らず積層型熱交換器等を用いてもよい。圧縮機８の詳細については言及していないが、スクロール式熱交換器でもよいし、ロータリー式等の他の熱交換器でもよい。使用個数も１個に限らず、縦置き又は横置きのどちらでもかまわない。室外機と分離して設置することもできる。送風機１０も軸流送風機に限らず、シロッコファンやターボファン等の遠心送風機を使用してもよい。
【００１９】
実施の形態２．
実施の形態１では、天板凸部７ｂと係合部１１ｂとを設けてモータ取り付け台１１及び天板７を固定したが、天板７に天板凹部７ｅを設けても本発明を実施することができる。なお、本実施形態２において、特に記述しない項目については実施の形態１と同様とし、同一機能については同一の符号を用いて述べることとする。
【００２０】
図４は、この発明の実施の形態２における天板７及びモータ取り付け台１１の拡大斜視図である。天板７には、モータ取り付け台１１上部の係合部１１ｂと対向する位置に天板凹部７ｅが設けられている。この天板凹部７ｅは、下面が湾曲形状となっている。また、天板凸部７ｂの後面側にはこの発明の第１の傾斜平面に相当する傾斜平面７ｃが形成され、この傾斜平面７ｃは室外機１の前面に対して傾斜した平面（例えば１５°）となっている。傾斜平面７ｃの略中央部には、天板７をネジ固定するための抜き穴７ｄが設けられている。係合部１１ｂは、天板凹部７ｅの内面と係合する形状となっている。つまり、係合部１１ｂの下部は天板凹部７ｅの下面に対応した湾曲面を形成しており、この湾曲面の湾曲半径は、天板凹部７ｅの湾曲半径と同じであるか又はわずかに大きい。また、係合部１１ｂの湾曲部手の後側にはこの発明の第２の傾斜平面に相当する傾斜平面１１ｃが形成され、この傾斜平面１１ｃは室外機１の前面に対して傾斜平面７ｃと同角度（例えば１５°）に傾斜している。この傾斜平面１１ｃには抜き穴７ｄと整合する位置にネジ穴１１ｄが設けられている。
【００２１】
このように構成された空気調和機の室外機１においては、実施の形態１と同様に、ネジ１２を締める際にドライバー１３を天板７と平行に近い角度（例えば天板７とドライバー１３の角度が１５°）で使用することができるため、通常は天板上部の作業スペースが狭い場合に取り付け・取り外しが困難である、天板７の室外機後方に位置するモータ取り付け台１１及び天板７を固定するためのネジ１２の取り付け・取り外しが室外機前面のみからの作業により容易にできる。
また、天板７及びモータ取り付け台１１を固定する際にモータ取り付け台１１の下部取り付け位置が多少ずれている場合でも、天板凹部７ｅとモータ取り付け台１１の係合部１１ｂが係合するため、係合部１１ｂは天板凹部７ｅに誘導され、天板７の取り付け時には調整することのできない抜き穴７ｄとネジ穴１１ｄの位置合わせが容易にできる。
なお、ネジ１２の腐食の防止については、実施の形態１よりは劣るものの、実施の形態１と同様に室外機１を小型化することができる。また、天板７の形状を実施の形態１よりも単純化できる。
【００２２】
なお、上記の実施の形態１，２においては、室外機１の前面に対する傾斜平面７ｃの傾斜角度が１５°の例について説明したが、この角度は必要に応じて任意の角度をとり得るものである。
【図面の簡単な説明】
【００２３】
【図１】この発明の実施の形態１を示す室外機１の分解斜視図である。
【図２】この発明の実施の形態１を示す天板７及びモータ取り付け台１１の拡大斜視図である。
【図３】この発明の実施の形態１を示す天板７及びモータ取り付け台１１をネジ固定した状態の断面模式図である。
【図４】この発明の実施の形態２を示す天板７及びモータ取り付け台１１の拡大斜視図である。
【符号の説明】
【００２４】
１  室外機、２  台板、３  熱交換器、４  側板、５  前面板、６  吹き出し口、７  天板、７ａ  天板凹部、７ｂ  天板凸部、７ｃ  傾斜平面、７ｄ  抜き穴、７ｅ  天板凹部、８  圧縮機、９  制御部、１０  送風機、１０ａ  ファン、１０ｂ  ファンモータ、１１  モータ取り付け台、１１ａ  係止部、１１ｂ  係合部、１１ｃ  傾斜平面、１１ｄ  ネジ穴、１２  ネジ、１３  ドライバー。
【図１】
2008190820.tif 000003
【図２】
2008190820.tif 000004
【図３】
2008190820.tif 000005
【図４】
2008190820.tif 000006